(57)【要約】【課題】パステル画のマット対応部分にもパステル画が描かれた絵画合成体を作成する。【解決手段】パステル画が全面に描かれた第２絵画体２に、中央部に第１絵画体よりも少し寸法が小さい第１開口部が設けられた、第２絵画体２と同一の平面外形寸法の第１補強部材３を貼り付ける。第１開口部の枠に沿って、第２絵画体２の中央部に第２開口部を形成する。更に、第１開口部の開口を覆う様に、異なるパステル画が描かれた第１絵画体を第１補強部材３の裏面に貼付する。更に、第１絵画体を介して、第２絵画体２及び第１補強部材３を、同一の平面外形寸法の第１補強部材３及び透明なアクリル板８とでサンドイッチして、各部８，２，３，５を一体的に結合させる。その結果、アクリル板８を介して上方からパステル画合成体を眺めると、中央部の第１パステル画と、そのマット位置に配設された外側の第２パステルとが同時に眺められる。【選択図】図１０
2013086380.tif 000002
【特許請求の範囲】
【請求項１】
第１横寸法、第１縦寸法及び第１厚み寸法より成る外形寸法を有する画用紙であって、全面に亘って第１パステル画が描かれた第１表面を有する第１絵画体と、
前記第１横寸法より長い第２横寸法、前記第１縦寸法より長い第２縦寸法及び第２厚み寸法を有する画用紙であって、全面に亘って第２パステル画が描かれた第２表面を有する第２絵画体と、
前記第２横寸法と同一の第３横寸法、前記第２縦寸法と同一の第３縦寸法及び前記第２厚み寸法より厚い第３厚み寸法より成る外形寸法を有し、且つ、その中央部を貫通すると共に前記第１横寸法より短い横寸法及び前記第１縦寸法より短い縦寸法を有する第１開口部を有する第１補強部材とを準備する第１工程と、
前記第２絵画体の裏面に全面に亘って前記第１補強部材の表面を貼り付ける第２工程と、
前記第１補強部材の前記第１開口部と同一の開口外形寸法を有し且つ前記第２絵画体を貫通する第２開口部を前記第２絵画体に形成する第３工程と、
前記第２絵画体の表面側から前記第２絵画体を眺めるときには前記第２開口部及び前記第１開口部を通じて前記第１絵画体の前記第１表面の前記第１パステル画が見える様に、前記第１補強部材の裏面上に、前記第１絵画体の前記第１表面が前記第１開口部の前記第１補強部材の前記裏面側の開口全体を覆う様に前記第１絵画体を貼り付ける第４工程と、
前記第２横寸法と同一の第４横寸法、前記第２縦寸法と同一の第４縦寸法及び前記第３厚み寸法より厚い第４厚み寸法より成る外形寸法を有する第２補強部材の表面上に、前記第１絵画体が貼り付けられた前記第１補強部材の裏面を全面に渡って載置し、且つ、前記第２横寸法と同一の第５横寸法、前記第２縦寸法と同一の第５縦寸法及び第５厚み寸法より成る外形寸法を有する透明なアクリル板の裏面を、前記第２開口部が形成された前記第２絵画体の前記表面上に全面に渡って載置した状態において、前記アクリル板、前記第２絵画体、前記第１補強部材及び前記第２補強部材を一体的に結合する第５工程と
を備えることを特徴とするパステル画合成体の製造方法。
【請求項２】
請求項１に記載のパステル画合成体の製造方法であって、
前記第５工程の前に於いて、
前記第２補強部材の上方側に、布テープを通すことが出来る一方で前記パステル画合成体を壁に掛ける際にフック機能を成す止め部材を通すことが出来ない寸法を有する貫通孔を設け、前記止め部材に輪状に結合された前記布テープを、前記貫通孔を通し、更に、前記止め部材が前記貫通孔の入口において留まるまで前記布テープを前記第２補強部材の前記表面上にまで延在させて前記布テープを前記第２補強部材の前記表面上に固定する工程を
更に備えることを特徴とするパステル画合成体の製造方法。
【発明の詳細な説明】
【技術分野】
【０００１】
この発明は、パステル画が描かれた絵画のマットにも異なるパステル画が描かれた状態を作り出すパステル画の合成体を作成する技術に関する。
【背景技術】
【０００２】
パステル画（「パステルアート」とも称される。）を描く場合には、画用紙の四方の外縁に容易に取り外し可能なテープを付着させておいた上で、当該テープで囲まれた画用紙の枠内部分に、画材としてパステルを塗る。その後、当該テープを取り外すことで、額縁の中に納まるマットで四方が囲まれたパステル画が生成される。
【先行技術文献】
【非特許文献】
【０００３】
【非特許文献１】ウィキペディア一パステル
【発明の概要】
【発明が解決しようとする課題】
【０００４】
しかしながら、従来のパステル画の作成では、マットの部分は白地のままである。このマットの部分にも、パステル画が描かれた絵画を作成する方法は存在してはいないのが現状である。斯かるパステル画のマットの部分にもパステル画が描かれた絵画を作成してパステル画を楽しみたいという要求が生じてきている。
【０００５】
この発明は、斯かる要求に対応可能なパステル画の絵画合成体の作成技術を提案することを、その目的とするものである。
【課題を解決するための手段】
【０００６】
本発明の主題に係るパステル画合成体の製造方法は、第１横寸法、第１縦寸法及び第１厚み寸法より成る外形寸法を有する画用紙であって、全面に亘って第１パステル画が描かれた第１表面を有する第１絵画体と、前記第１横寸法より長い第２横寸法、前記第１縦寸法より長い第２縦寸法及び第２厚み寸法を有する画用紙であって、全面に亘って第２パステル画が描かれた第２表面を有する第２絵画体と、前記第２横寸法と同一の第３横寸法、前記第２縦寸法と同一の第３縦寸法及び前記第２厚み寸法より厚い第３厚み寸法より成る外形寸法を有し、且つ、その中央部を貫通すると共に前記第１横寸法より短い横寸法及び前記第１縦寸法より短い縦寸法を有する第１開口部を有する第１補強部材とを準備する第１工程と、前記第２絵画体の裏面に全面に亘って前記第１補強部材の表面を貼り付ける第２工程と、前記第１補強部材の前記第１開口部と同一の外形寸法を有し且つ前記第２絵画体を貫通する第２開口部を前記第２絵画体に形成する第３工程と、前記第２絵画体の表面側から前記第２絵画体を眺めるときには前記第２開口部及び前記第１開口部を通じて前記第１絵画体の前記第１表面の前記第１パステル画が見える様に、前記第１補強部材の裏面上に、前記第１絵画体の前記第１表面が前記第１開口部の前記第１補強部材の前記裏面側の開口全体を覆う様に前記第１絵画体を貼り付ける第４工程と、前記第２横寸法と同一の第４横寸法、前記第２縦寸法と同一の第４縦寸法及び前記第３厚み寸法より厚い第４厚み寸法より成る外形寸法を有する第２補強部材の表面上に、前記第１絵画体が貼り付けられた前記第１補強部材の裏面を全面に渡って載置し、且つ、前記第２横寸法と同一の第５横寸法、前記第２縦寸法と同一の第５縦寸法及び第５厚み寸法より成る外形寸法を有する透明なアクリル板の裏面を、前記第２開口部が形成された前記第２絵画体の前記表面上に全面に渡って載置した状態において、前記アクリル板、前記第２絵画体、前記第１補強部材及び前記第２補強部材を一体的に結合する第５工程を備えることを特徴とする。
【発明の効果】
【０００７】
本発明の主題によれば、第１パステル画が中央部に配置され且つそのマットとなる位置に異なる第２パステル画が描かれたパステル画を、透明なアクリル板を介して鑑賞することが出来る、パステル画合成体を容易に製造することが出来る効果を奏する。
【０００８】
又、請求項２に係る発明によれば、パステル画合成体の製造工程に於いて、壁掛け用の止め部材を裏側となる第２補強部材に装着することが出来る。
【０００９】
以下、本発明の様々な具体化を、添付図面を基に、その効果・利点と共に、詳述する。
【図面の簡単な説明】
【００１０】
【図１】本発明の実施の形態１に係る第１絵画体の平面視構造を示す上面図である。
【図２】本発明の実施の形態１に係る第２絵画体の平面視構造を示す上面図である。
【図３】本発明の実施の形態１に係る第１補強部材の平面視構造を示す上面図である。
【図４】第２絵画体と第１補強部材とが貼り合わされた後の構造を示す斜視図である。
【図５】第２絵画体に第２開口部が形成された後の構造を示す斜視図である。
【図６】第１補強部材の裏面上に第１絵画体が貼り合わされた後の構造を示す上面図である。
【図７】本発明の実施の形態１に係る第２補強部材の平面視構造を示す上面図である。
【図８】止め部材に輪状に結合された布テープを模式的に示す図である。
【図９】第２補強部材に止め部材を設けた構造を模式的に示す正面図である。
【図１０】各部材が一体的に結合される前のパステル画合成体の構造を模式的に示す斜視図である。
【図１１】完成後のパステル画合成体の上面側の構造を透明なアクリル板を介して眺めた際の状況を模式的に示す上面図である。
【発明を実施するための形態】
【００１１】
（実施の形態１）
＜工程１＞  ：準備工程
【００１２】
図１は、本実施の形態に於いて用いられる第１絵画体１の平面視構造（本図の紙面に平行な横断面の形状）を示す上面図である。第１絵画体１は、画用紙より成り、その全面に亘って第１パステル画が描かれた第１表面１Ｓを有する。第１絵画体１は、その外形寸法として、第１横寸法ｘ１、第１縦寸法ｙ１及び画用紙としての第１厚み寸法を有する。例えば、第１横寸法ｘ１は１５ｃｍ、第１縦寸法ｙ１は１５ｃｍである。よって、画材としてパステルを用いて絵画が画用紙の表面上に描かれた第１絵画体１は、１５ｃｍ絵画を有するが、白地のマット部分を有しない。尚、図１のハッチングは、便宜上、第１パステル画を示すためのものである。
【００１３】
又、図２は、本実施の形態に於いて用いられる第２絵画体２の平面視構造（本図の紙面に平行な横断面の形状）を示す上面図である。第２絵画体２も、画用紙より成り、その全面に亘って第１パステル画とは異なる第２パステル画が描かれた第２表面２Ｓを有する。第２絵画体２の第２横寸法ｘ２は、第１絵画体１の第１横寸法ｘ１よりも長い。又、第２絵画体２の第２縦寸法ｙ２は、第１絵画体１の第１縦寸法ｙ１よりも長い。又、第２絵画体２は、画用紙としての第２厚み寸法を有する。例えば、第２横寸法ｘ２は２０ｃｍ、第２縦寸法ｙ２は２０ｃｍである。この場合、第２絵画体２は、２０ｃｍ四方のパステル画を有するが、第１絵画体１と同様に、白地のマット部分を有しない。尚、図２のハッチングも、便宜上、第２パステル画を示すためのものである。
【００１４】
更に、図３は、本実施の形態に於いて用いられる第１補強部材３の平面視構造（本図の紙面に平行な横断面の形状）を示す上面図である。第１補強部材３の外形寸法は次の通りである。即ち、同部材３の第３横寸法ｘ３は、第２絵画体２の第２横寸法ｘ２と同一であり、第３縦寸法ｙ３は、第２絵画体２の第２縦寸法ｙ２と同一である。他方、同部材３の第３厚み寸法は、第２絵画体２の第２厚み寸法よりも厚い。例えば、第１補強部材３はボール材より成り、その第３横寸法ｘ３及び第３縦寸法ｙ３は共に２０ｃｍであり、第３厚み寸法は、画用紙である第２絵画体２の厚みＴ２（図４参照。）（０．１ｍｍ乃至０．２ｍｍ程度）よりも厚い値である、０．６ｍｍ乃至０．７ｍｍの範囲内の値である。第１補強部材３は、画用紙である薄い第２絵画体２を補強するための部材である。
【００１５】
又、第１補強部材３は、その中心点ＣＰの周りの中央部分を貫通する第１開口部３ＰＨを有している。第１開口部３ＰＨは、第１絵画体１の第１横寸法ｘ１よりも短い横寸法ｘＡ及び第１縦寸法ｙ１よりも短い縦寸法ｙＡを有する。例えば、第１開口部３ＰＨの横寸法ｘＡ及び縦寸法ｙＡは、共に１４ｃｍに設定される。この第１開口部３ＰＨは、後述する通り、第２絵画体２に同寸法の貫通穴を設ける工程での作業の基準枠として機能する。
【００１６】
＜工程２＞  ：接着工程
準備工程の後、第２絵画体２の裏面（パステル画は存在しない。）２Ｂ上に、全面に亘って、第１補強部材３の表面３Ｓを貼り付ける。この貼り付け工程では、例えば接着材が用いられる。この接着工程により、図４の斜視図に示す通り、第２絵画体２と第１補強部材３とは、一体化された物となり、厚みの観点から、第１補強部材３は第２絵画体２を補強する。尚、図４のハッチングは、第２パステル画を便宜上示すものである。
【００１７】
＜工程３＞  ：開口工程
次に、図５の斜視図に示す様に、第２絵画体２をその中心点ＣＰの周辺に該当する中央部で貫通する第２開口部２ＰＨを、第２絵画体２に形成する。この第２開口部２ＰＨは、第１補強部材３の第１開口部３ＰＨと連続的に繋がったものであり、従って、横及び縦寸法に関しては、第１補強部材３の第１開口部３ＰＨと同一の外形寸法を有する。
【００１８】
この第２開口部形成工程では、図４の結合体を裏向けて第１補強部材３の裏面３Ｂ側が真正面となる様に、図４の結合体を配置した上で、第１開口部３ＰＨの開口枠に沿って、その直下の第２絵画体２の部分を切り込んで貫通穴を広げていき、第２開口部２ＰＨを形成する。その際の切り込み作業に於いては、カッター、刃がたなを有する切り込み装置、レーザービーム装置等が使用される。
【００１９】
尚、図５に於けるハッチングも、便宜上、第２パステル画を示すものである。
【００２０】
＜工程４＞  ：貼り付け工程
その後、第１補強部材３の裏面３Ｂ側を真正面とした配置に於いて、第１絵画体１の第１表面１Ｓが、第１開口部３ＰＨの第１補強部材３の裏面３Ｂ側の開口全体を覆う様に、第１補強部材３の裏面３Ｂ上に、第１絵画体１を貼り付ける。この場合、ｘ１＞ｘＡ及びｙ１＞ｙＡの寸法関係が成立するので、第２絵画体２の表面２Ｓ側から第２絵画体２を眺めるときには、第２開口部２ＰＨ及び第１開口部３ＰＨを通じて、第１絵画体１の第１表面１Ｓに描かれた第１パステル画が見える様に、第１開口部３ＰＨの開口に対して第１絵画体１を貼り付ける。第１絵画体１の貼り付け後の第１補強部材３の裏面３Ｂ側から第１補強部材３を眺めた際の平面図が、図６である。第１絵画体１の貼り付けには、例えば、セロハンテープ等の粘着テープ４を用いる。
【００２１】
＜工程５の前段＞  ：止め具の装着工程
図７は、厚紙である第２補強部材５の表面５Ｓ側から同部材５を眺めた際の平面図である。第２補強部材５は、例えばボール紙より成り、第１補強部材３の厚みＴ３（図１０参照。）よりも厚い厚みＴ４（例えば２ｍｍの値。）を有する。第２補強部材５の第４横寸法ｘ４は第２横寸法ｘ２と同一であり、第４縦寸法ｙ４は第２縦寸法ｙ２と同一である。
【００２２】
そして、最終的に形成されるパステル画合成体を壁に吊り掛ける際には上側（天井面側）となる第２補強部材５の上側には、貫通孔５ＰＨが形成されている。尚、最終的製品であるパステル画合成体を壁に吊り掛けない場合には、後述する止め部材が不要なので、上記の貫通孔５ＰＨを設けて止め部材を装着する本工程も不要である。
【００２３】
図８は、最終的に形成されるパステル画合成体を壁に吊り掛ける際に用いる壁掛け用の止め部材６を模式的に示す図である。例えば、止め部材６には、ディー管が使用される。そして、止め部材６には、所定の長さを有する布テープ（例：綿テープ）７が輪状に結合されている。
【００２４】
図９は、止め部材６を第２補強部材５の裏面５Ｂ側の貫通孔５ＰＨの開口に留めた配置状態を示す、第２補強部材５をその上方側から眺めた平面図である。図７及び図９に示す様に、第２補強部材５の上方側には、同部材５をその表面５Ｓから裏面５Ｂに至るまで貫通する貫通孔５ＰＨが配設されている。この貫通孔５ＰＨは、布テープ７を通すことが出来るけれども、パステル画合成体を壁に掛ける際にフック機能を成す止め部材６を通すことが出来ない開口寸法を有する。
【００２５】
そこで、止め部材６に輪状に結合された布テープ７を、貫通孔５ＰＨを通し、更に、止め部材６が貫通孔５ＰＨの開口の入口において留まるまで、布テープ７を第２補強部材５の表面５Ｓ上にまで延在させる。その状態に於いて、布テープ７を第２補強部材５の表面５Ｓ上に、接着剤等を用いて固定する。この工程を経て、壁掛け用の止め部材６が、最終製品であるパステル画合成体の裏面側に装着される。
【００２６】
＜工程５の後段＞  ：パステル画合成体形成工程
以下に記載する載置順序は何れから先に行っても良いが、その典型例を記載する。
【００２７】
先ず、１）図７の第２補強部材５の表面５Ｓ上に、第１絵画体１が貼り付けられた後の第１補強部材３の裏面３Ｂ（図６参照。）を、全面に渡って載置する。第１補強部材３の表面２Ｓ上には、第２開口部２ＰＨが形成されている第２絵画体２が貼り付けられている。この場合、ｘ４＝ｘ３、及び、ｙ４＝ｙ３の関係が成り立つので、第１補強部材３は、その間に第１絵画体１を挟み込んだ状態に於いて、第２補強部材５よりはみ出すことなく、第２補強部材５に、両部材の寸法が一致した状態にて、重ねあわされる。
【００２８】
次に、２）図１０の斜視図に示す透明なアクリル板８を準備する。当該アクリル板８は、第２横寸法ｘ２と同一の第５横寸法ｘ５、第２縦寸法ｙ２と同一の第５縦寸法ｙ５及び第５厚み寸法Ｔ５より成る外形寸法を有する。アクリル板８は、同じく透明なガラス板と比較して、その重量が軽く、且つ、角部が丸く形成されているため、パステル画合成体の形成に於いて採用される。
【００２９】
その上で、３）図１０の斜視図に示す様に、アクリル板８の裏面を、第２開口部２ＰＨが形成された第２絵画体２の表面２Ｓ上に、全面に渡って、載置する。この載置工程が完了した後の構成を示す図が、既述の図１０である。尚、図１０に於いて、図示されていない第１絵画体１がサンドイッチされた状態で存在するため、第１補強部材３と第２補強部材５との間に、僅かな隙間が生じている。
【００３０】
次に、４）図１０に示す、アクリル板８、第２絵画体２、第１補強部材３及び第２補強部材５を一体的に結合することにより、最終製品であるパステル画合成体を作成する。結合方法の一例としては、アクリル板８の側面８ＳＳ、第２絵画体２の側面２ＳＳ、第１補強部材３の側面３ＳＳ及び第２補強部材５の側面５ＳＳを、紙製のテープで、例えばマスキングテープによって、側面全体を一周させて一体的に合成する。マスキングテープには、色合いが異なる様々な物があるので、その中からお気に入りの色の物を選択することが出来る。しかも、マスキングテープは、それ自体を破る事無く、剥がすことも可能であるので、他のマスキングテープに置換することも容易である。
【００３１】
＜完成品＞
図１０に示す矢印ＡＲの方から完成したパステル画合成体を透明なアクリル板８を通じて眺めた際の上面構成を、図１１に示す。尚、図１１に於いても、図示の便宜上、第１及び第２絵画体１，２の各パステル画を示すために、ハッチングが成されている。図１１に示される通り、パステル画合成体の中央部、即ち、第１開口部３ＰＨの外周縁により規定される枠で囲まれた領域に於いて、第１パステル画が眺められる。その上で、本来ならば、第１パステル画のマットと成る領域に、第１パステル画とは異なるパステル画である第２パステル画が眺められる。この様に、第１パステル画と、その外側のマットに対応する位置に配設された異なる第２パステル画とを、透明なアクリル板８を介して、同時に鑑賞することが可能なパステル画合成体が、作成される。
【００３２】
尚、本実施の形態の記載で示された、各部材の寸法値はあくまでも例示値であり、それらの具体的な寸法値に、本発明に係るパステル画合成体の製造に際して用いられる各部材の寸法値が限定されるものではない。
【００３３】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３４】
本発明は、２つの異なるパステル画を用いてパステル画の絵画合成体を作成する技術への適用に好適である。
【符号の説明】
【００３５】
１    第１絵画体
２    第２絵画体
３    第１補強部材
４    セロハンテープ
５    第２補強部材
６    止め部材
７    布テープ
８    アクリル板
【図１】
2013086380.tif 000003
【図２】
2013086380.tif 000004
【図３】
2013086380.tif 000005
【図４】
2013086380.tif 000006
【図５】
2013086380.tif 000007
【図６】
2013086380.tif 000008
【図７】
2013086380.tif 000009
【図８】
2013086380.tif 000010
【図９】
2013086380.tif 000011
【図１０】
2013086380.tif 000012
【図１１】
2013086380.tif 000013